(57)【要約】【課題】  良好な操作性を実現できる情報機器を提供することを目的とする。【解決手段】  本発明にかかる情報機器としてのスマートフォン１００は、表示ユニットとしてのタッチパネルディスプレイ１０２と、タッチパネルディスプレイ１０２の枠体１０４とを含んで構成される。スマートフォン１００は、そのタッチパネルディスプレイ１０２が枠体１０４に対してスライド移動可能であって、そのスライド移動を検知するスイッチ１１６をさらに含む。【選択図】図１
2013187587.tif 000002
【特許請求の範囲】
【請求項１】
表示ユニットと、該表示ユニットの枠体とを含む情報機器において、
前記表示ユニットが前記枠体に対してスライド移動可能であり、
当該情報機器は前記スライド移動を検知するスイッチをさらに含むことを特徴とする情報機器。
【請求項２】
前記表示ユニットがタッチパネルディスプレイであることを特徴とする請求項１に記載の情報機器。
【請求項３】
前記表示ユニットのスライド移動により弾性変形し、該表示ユニットをスライド移動前の初期位置へと戻すように弾性力を発するバネをさらに含むことを特徴とする請求項１または２に記載の情報機器。
【請求項４】
前記表示ユニットが前記枠体に対して２方向以上にスライド移動可能であり、それぞれの方向への該スライド移動を前記スイッチが検知可能であることを特徴とする請求項１から３のいずれか１項に記載の情報機器。
【請求項５】
当該情報機器は、前記スライド移動を前記スイッチが検知することで、省電力の待機モードを解除することを特徴とする請求項１から４のいずれか１項に記載の情報機器。
【請求項６】
前記スイッチが、ボリュームスイッチであることを特徴とする請求項１から５のいずれか１項に記載の情報機器。
【発明の詳細な説明】
【技術分野】
【０００１】
本発明は、表示ユニットとその表示ユニットの枠体とを含む情報機器に関する。
【背景技術】
【０００２】
現在、携帯可能な情報機器として、タッチパネルディスプレイを搭載した機器が増加している。その代表的な機器として、スマートフォンがある。タッチパネルディスプレイを搭載した機器の大半は非使用時の消費電力を抑制するために省電力の待機モードを備えており、タイマのタイムアウトや電源ボタンを押下することでその待機モードへと移行するように構成されている。
【０００３】
一般に、省電力の待機モードにおいてはタッチパネルディスプレイへの入力は検知されないため、その待機モードの解除には、タッチパネルディスプレイへの入力ではなくボタンの押下等が必要となる。しかし、待機モードを解除するボタン等は、通常、ユーザに画像を表示する即ちユーザに正対するタッチパネルディスプレイを避けて当該機器の側面や背面、あるいは端部に配置されるため、ボタンを押下するために当該機器の持替が必要となる可能性が高い。
【０００４】
とりわけ、スマートフォンはサードパーティ（第三者）製のカバーを装着して使用されることが多く、カバーを装着していない場合と比べてボタン等がさらに押下しづらくなる場合がある。したがって、現在、省電力の待機モード解除に関して良好な操作性が確保されているとは言い難い状況にある。その一方、現在、特許文献１に例示されるように表示部（タッチパネルディスプレイでない）の背面にスライドキーボードを搭載した機器や、特許文献２に例示されるように液晶パネルの姿勢を変更できるピボット機能を備える機器も存在している。
【先行技術文献】
【特許文献】
【０００５】
【特許文献１】特開２００９−２７８４１１号公報
【特許文献２】国際公開第２００６/１３７１３２号パンフレット
【発明の概要】
【発明が解決しようとする課題】
【０００６】
上述したように、現在、省電力の待機モード解除に関して良好な操作性が確保されているとは言い難い状況にある。ここで、これを解決するために、既存技術であるスライドキーボードやピボット機能を搭載し、そのスライドキーボードの引出しやパネル姿勢変更を省電力の待機モード解除のトリガーとすることも考えられる。しかしながら、そもそも仕様上フルタッチを前提とする機器には、スライドキーボード搭載は不可能である。また、スライドキーボードを搭載したとしても、これを引き出して操作する際には、それまでの操作対象であったタッチパネルディスプレイから指を大幅に移動させる必要がある。そのため、持替が必要ないとは言い切れない。また、ピボット機能を搭載した場合にも、姿勢変更の際には持替が必要になると想定される。したがって、既存技術を適用したところで、良好な操作性を実現できはしない。
【０００７】
本発明は、このような課題に鑑み、良好な操作性を実現できる情報機器を提供することを目的とする。
【課題を解決するための手段】
【０００８】
上記課題を解決するために本発明の代表的な構成は、表示ユニットと、表示ユニットの枠体とを含む情報機器において、表示ユニットが枠体に対してスライド移動可能であり、当該情報機器はスライド移動を検知するスイッチをさらに含むことを特徴とする。
【０００９】
上記表示ユニットがタッチパネルディスプレイであるとよい。
【００１０】
上記表示ユニットのスライド移動により弾性変形し、表示ユニットをスライド移動前の初期位置へと戻すように弾性力を発するバネをさらに含むとよい。
【００１１】
上記表示ユニットが枠体に対して２方向以上にスライド移動可能であり、それぞれの方向へのスライド移動をスイッチが検知可能であるとよい。
【００１２】
当該情報機器は、スライド移動をスイッチが検知することで、省電力の待機モードを解除するとよい。
【００１３】
上記スイッチが、ボリュームスイッチであってもよい。
【発明の効果】
【００１４】
本発明によれば、良好な操作性を実現できる情報機器を提供することができる。
【図面の簡単な説明】
【００１５】
【図１】本発明にかかる情報機器の実施形態であるスマートフォンにおける省電力の待機モード解除手法を例示する図である。
【図２】本発明にかかる情報機器の実施形態であるスマートフォンにおける省電力の待機モード解除手法を例示する図である。
【図３】図１、図２のスマートフォンのＡ−Ａ断面の概念図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
図１、図２は、本発明にかかる情報機器の実施形態であるスマートフォン１００における省電力の待機モード解除手法を例示する図である。なお本実施形態では、情報機器としてフルタッチ型のスマートフォン１００を挙げて説明するが、かかる場合に限られず、携帯電話、ＰＨＳ、パーソナルコンピュータ、ノート型パーソナルコンピュータ、ＰＤＡ（Personal Digital Assistant）、デジタルカメラ、音楽プレイヤー、カーナビゲーション、ポータブルテレビ、ゲーム機器、ポータブルＤＶＤプレイヤー等、様々な情報機器を用いることができる。
【００１８】
スマートフォン１００は、非使用時の消費電力を抑制するために、省電力の待機モードを備える。図１（ａ）、図１（ｂ）、図１（ｃ）は、省電力の待機モードを解除する第１の操作例を時系列に例示したものである。また、図２（ａ）、図２（ｂ）、図２（ｃ）は、省電力の待機モードを解除する第２の操作例を時系列に例示したものである。
【００１９】
図１、図２に例示するように、スマートフォン１００は、表示ユニットとしてのタッチパネルディスプレイ１０２を含む。タッチパネルディスプレイ１０２は、例えば、タッチパネル（タッチパッド）のような位置入力装置と、ＬＣＤ（liquid crystal monitor）や有機ＥＬなどの表示装置とを組み合わせて構成される。なお本実施形態では、表示ユニットとしてタッチパネルディスプレイ１０２を挙げているが、タッチ入力機能を有さない、表示のみの表示ユニットであってもよい。
【００２０】
スマートフォン１００は、タッチパネルディスプレイ１０２を囲繞する枠体１０４を含む。本実施形態に係るスマートフォン１００では、スレート型（ストレート型）を想定しているため、枠体１０４は正面側（前面側）の筐体である。しかし情報機器が折りたたみ式やスライド式のように２つの筐体を備えている場合には、枠体１０４は表示ユニットを囲繞する枠体に相当する。
【００２１】
枠体１０４はその開口部がタッチパネルディスプレイ１０２との間にスペース１０８、１１０を生むように、予め大きめに形成される。本実施形態では、枠体１０４の縦幅Ｌ１がタッチパネルディスプレイ１０２の縦幅Ｌ２よりも大きく形成され、タッチパネルディスプレイ１０２の上方と下方とにスペース１０８、１１０が設定される。枠体１０４の横幅はタッチパネルディスプレイ１０２の側部に沿うように形成される。
【００２２】
これより、スマートフォン１００では、ユーザがタッチパネルディスプレイ１０２に指１２４を押し当てることでその静止摩擦力によって、枠体１０４に対してタッチパネルディスプレイ１０２を上方または下方にスライド移動させることが可能である。
【００２３】
図３は、スマートフォン１００のＡ−Ａ断面の概念図である。図３に示すように、スマートフォン１００は、バネ１１２、１１４と、スイッチ１１６とをさらに含む。
【００２４】
バネ１１２は枠体１０４とタッチパネルディスプレイ１０２との間の上側のスペース１０８に配置される。バネ１１４は、枠体１０４とタッチパネルディスプレイ１０２との間の下側のスペース１１０に配置される。バネ１１２、１１４は、タッチパネルディスプレイ１０２を既定の初期位置に保持する役割を担う。
【００２５】
バネ１１２、１１４の強度は、通常使用時（タッチ操作時）において、指１２４とタッチパネルディスプレイ１０２との間で生じる動摩擦力によって、タッチパネルディスプレイ１０２が既定の初期位置からスライド移動しないように設定する。なお、バネ１１２、１１４には、トーションバネやコイルバネ、板バネ、樹脂部材等を好適に用いることができる。
【００２６】
スイッチ１１６は、非接触型スイッチであって、磁石１１８と２つのホール素子１２０、１２２とで構成される。磁石１１８は、タッチパネルディスプレイ１０２側に備えられる。ホール素子１２０、１２２は、スマートフォン１００本体側に備えられる。なお、本実施形態は、かかる場合に限られず、接触型スイッチ（タクトスイッチなど）を用いてもよい。また、バネ１１２、１１４を廃して、スイッチに内蔵されたバネを利用してもよい。
【００２７】
ホール素子１２０、１２２は、ホール効果により磁石１１８の接近を検知し、電圧を出力する。これにより、枠体１０４に対してタッチパネルディスプレイ１０２を上方にスライド移動させると上側のホール素子１２０が磁石１１８の接近を検知して電圧を出力し、逆にタッチパネルディスプレイ１０２を下方にスライド移動させると下側のホール素子１２２が磁石１１８の接近を検知して電圧を出力する。
【００２８】
（第１の操作例）
図１（ａ）に例示するように、第１の操作例では、ユーザが指１２４で枠体１０４に対しタッチパネルディスプレイ１０２を上方にスライド移動させることで、ホール素子１２０が磁石１１８の接近を検知して省電力の待機モード（スリープモード）を解除する。
【００２９】
ユーザが指１２４でタッチパネルディスプレイ１０２を上方にスライド移動させると、上側のバネ１１２は弾性変形し、タッチパネルディスプレイ１０２をスライド移動前の初期位置へと戻すように弾性力を発する。
【００３０】
したがって、図１（ｂ）に例示するようにユーザが指１２４をタッチパネルディスプレイ１０２から離すだけで、図１（ｃ）に例示するようにタッチパネルディスプレイ１０２は既定の初期位置へと戻る。
【００３１】
（第２の操作例）
図２（ａ）に例示するように、第２の操作例では、ユーザが指１２４で枠体１０４に対しタッチパネルディスプレイ１０２を下方にスライド移動させることで、ホール素子１２２が磁石１１８の接近を検知して省電力の待機モード（スリープモード）を解除する。
【００３２】
ユーザが指１２４でタッチパネルディスプレイ１０２を下方にスライド移動させると、下側のバネ１１４は弾性変形し、タッチパネルディスプレイ１０２をスライド移動前の初期位置へと戻すように弾性力を発する。
【００３３】
したがって、図２（ｂ）に例示するようにユーザが指１２４をタッチパネルディスプレイ１０２から離すだけで、図２（ｃ）に例示するようにタッチパネルディスプレイ１０２は既定の初期位置へと戻る。
【００３４】
上述した第１、第２の操作例によれば、ユーザに正対するタッチパネルディスプレイ１０２をスライド移動させ、スマートフォン１００の省電力の待機モードを解除する。したがって、スマートフォン１００の側面や背面、あるいは端部に配置されているボタンを押下して省電力の待機モードを解除する必要がなく、スマートフォン１００の持替を回避することができる。
【００３５】
また、スマートフォン１００にサードパーティ製のカバーが装着されていても、タッチパネルディスプレイ１０２をスライド移動させることには影響しない。したがって、スマートフォン１００の操作性の向上を図ることができる。
【００３６】
さらに、上記構成によればスマートフォン１００の見た目上のボタンを減らしながらも、待機モードを解除するスイッチ１１６を設けることができる。スマートフォン１００が鞄やポケット内にあっても、タッチパネルディスプレイ１０２が勝手にスライドされる可能性は低いので、不必要に省電力状態が解除されることも無く、省電力の待機モード解除手法としては最適な構成となる。
【００３７】
なお、上記ではスイッチ１１６を省電力の待機モード解除に割り当てるとしたが、かかるスイッチ１１６を音量スイッチやマナーモードへの移行スイッチ、着呼応答スイッチ、スクロール操作など他の操作入力に割り当ててもよい。スイッチ１１６は、それぞれの方向へのスライド移動を検知可能に構成されているため、一方を省電力の待機モード解除に割り当て、他方を他の操作入力に割り当ててもよい。
【００３８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３９】
例えば上記実施形態では、スマートフォン１００の長手方向にスペース１０８、１１０を設けスライド移動させる構成としたが、短手方向にスペースを設けスライド移動させる構成としてもよい。この場合には、当然ながらスイッチ１１６はそれぞれの方向へのスライド移動を検知可能に構成する。
【００４０】
また上記の説明では、スイッチ１１６はＯＮ／ＯＦＦを検知するスイッチとして説明した。しかしロータリースイッチや可変抵抗などのように、中間値を取得可能なボリュームスイッチとしてもよい。この場合、タッチパネルディスプレイ１０２を初期位置に戻すバネ１１２、１１４は備えない方がよい。このような構成とすれば、音量調節や輝度調節などに利用することもできる。
【００４１】
すなわち本発明は、携帯端末などの情報機器において、表示ユニットを枠体に対して水平にスライド移動させる機構を設け、そのスライド移動によって情報機器にスイッチ入力（操作入力）を可能とするものであればよい。
【産業上の利用可能性】
【００４２】
本発明は、表示ユニットとその表示ユニットの枠体とを含む情報機器に利用することができる。
【符号の説明】
【００４３】
１００…スマートフォン、１０２…タッチパネルディスプレイ、１０４…枠体、１０８、１１０…スペース、１１２、１１４…バネ、１１６…スイッチ、１１８…磁石、１２０、１２２…ホール素子、１２４…指
【図１】
2013187587.tif 000003
【図２】
2013187587.tif 000004
【図３】
2013187587.tif 000005